(57)【特許請求の範囲】
【請求項１】
金属歯（１ａ）付きローラ（１）と軟質ゴムローラ（２）を上下に対向させて、前記金属歯（１ａ）付きローラ（１）に軟質ゴムローラ（２）を押圧すると共に、前記金属歯（１ａ）付きローラ（１）、軟質ゴムローラ（２）の何れかを回転駆動させ、さらに前記両ローラ（１）（２）間の藁または牧草の搬送方向後方側には投入案内板（１７）を配置し、両ローラ（１）（２）間の藁または牧草の搬送方向前方側には排出案内板（１８）を配置したことを特徴とする藁または牧草の揉み機。
【請求項２】
前記投入案内板（１７）と排出案内板（１８）とが、排出側に互いに傾斜させた状態で一直線状に配置されていることを特徴とする請求項１記載の藁または牧草の揉み機。
【請求項３】
前記軟質ゴムローラ（２）が、金属歯（１ａ）付きローラ（１）との押圧力調整機構（９）を備えたものであることを特徴とする請求項１記載の藁または牧草の揉み機。
【発明の詳細な説明】
【０００１】
【産業上の利用分野】
この発明は、藁または牧草の揉み機に関するものである。
【０００２】
【従来の技術】
備前焼等の陶芸品には、色を着けるために藁を用いている。着色用の藁は粘土状の作品に巻きつけた後に窯に入れるが、作品を傷つけることなく、しかも満遍なく着色するために、その藁は極めて柔らかくする必要がある。
【０００３】
また、牧草は、家畜の種類によっては柔らかくしておいたほうが食べやすく好ましい場合がある。
【０００４】
従来、このような藁や牧草は、木槌で打ち叩いて柔らかくしていた。
【０００５】
【発明が解決しようとする課題】
しかしながら、藁や牧草を木槌で打ち叩いて柔らかくするには、作業効率が悪く長時間を要し、また打ち叩くときに藁や牧草が飛散し３０〜４０％が使用不能となり、歩留りが非常に悪いという課題を有していた。
【０００６】
そこで、この発明は、上記従来の課題を解決するものであり、作業効率が良く短時間で藁や牧草を柔らかくすると共に、歩留りが非常に良い藁または牧草の揉み機を提供することを目的としてなされたものである。
【０００７】
【課題を解決するための手段】
そのため、この発明の藁または牧草の揉み機は、金属歯１ａ付きローラ１と軟質ゴムローラ２を上下に対向させて、前記金属歯１ａ付きローラ１に軟質ゴムローラ２を押圧すると共に、前記金属歯１ａ付きローラ１、軟質ゴムローラ２の何れかを回転駆動させ、さらに前記両ローラ１、２間の藁または牧草の搬送方向後方側には投入案内板１７を配置し、両ローラ１、２間の藁または牧草の搬送方向前方側には排出案内板１８を配置したものとしている。
【０００８】
そして、前記投入案内板１７と排出案内板１８とは、排出側に互いに傾斜させた状態で一直線状に配置されているものとするのが好ましい。
【０００９】
また、前記軟質ゴムローラ２は、金属歯１ａ付きローラ１との押圧力調整機構９を備えたものとすることができる。
【００１０】
【作用】
この発明の藁または牧草の揉み機は、上記構成としたため、前記金属歯１ａ付きローラ１、軟質ゴムローラ２の何れかを回転駆動させると、これら何れか他方のローラもそれに従って回転し、金属歯１ａ付きローラ１の金属歯１ａが軟質ゴムローラ２に食い込むのと同時に、これら両ローラ１、２の間に藁または牧草が挟まれ、腰が折られて柔らかくされる。
【００１１】
【実施例】
以下、この発明の藁または牧草の揉み機の構成を、実施例として示した図面に基づいて説明する。
【００１２】
図１、図２に示すように、この発明の藁または牧草の揉み機は、金属歯１ａ付きローラ１と軟質ゴムローラ２を上下に対向させて、前記金属歯１ａ付きローラ１に軟質ゴムローラ２を押圧すると共に、前記金属歯１ａ付きローラ１、軟質ゴム２の何れかを回転駆動させるようにしている。
【００１３】
すなわち、前記金属歯１ａ付きローラ１の軸３を、機台４に取り付けた軸受５に軸支し、前記軟質ゴムローラ２の軸６を、機台４に立設した機枠７から垂下させた逆Ｕ字状のブラケット８に押圧力調整機構９を介して取り付けた軸受１０に軸支したものとして、両ローラ１、２を上下に対向させて、前記金属歯１ａ付きローラ１に軟質ゴムローラ２を押圧したものとしている。
【００１４】
前記押圧力調整機構９は、軟質ゴムローラ２の軸６の軸受１０に機枠７から垂下させた調整ボルト１１がねじ込まれており、この調整ボルト１１を締めたり弛めたりすることにより軟質ゴムローラ２が上下動し、金属歯１ａ付きローラ１との間の押圧力を調整するものである。
【００１５】
そして、前記金属歯１ａ付きローラ１の軸３の一端にはスプロケット１２が取り付けられており、このスプロケット１２と、機台４に設置したモータ１３の駆動軸１４に取り付けられたスプロケット１５との間にチェーン１６が掛け渡されている。したがって、前記モータ１３の駆動により金属歯１ａ付きローラ１が駆動ローラとなって回転し、軟質ゴムローラ２が従動ローラとなり金属歯１ａ付きローラ１の回転に従って回転する。
【００１６】
なお、実施例では、前記金属歯１ａ付きローラ１を上にし、軟質ゴムローラ２を下にして対向させたものとしているが、これを逆にすることもできる。また、金属歯１ａ付きローラ１を駆動ローラとしたが、軟質ゴムローラ２を駆動ローラとしても良いことは言うまでもない。
【００１７】
また、前記軟質ゴムローラ２には、身体等が接触したり、手指等が引き込まれて怪我をしないように、カバー（図示せず）を被せておくのが好ましい。
【００１８】
さらに、前記両ローラ１、２間の藁または牧草の搬送方向後方側には投入案内板１７を配置し、両ローラ１、２間の藁または牧草の搬送方向前方側には排出案内板１８を配置したものとしている。前記投入案内板１７と排出案内板１８とは、互いに水平にした状態で一直線状に配置してもよいが、実施例に示したように、排出側に互いに傾斜させた状態で一直線状に配置するのが、藁または牧草の送り出しがスムーズとなり好ましいものとなる。
【００１９】
したがって、このように構成された藁または牧草の揉み機では、金属歯１ａ付きローラ１をモータ１３により回転駆動させると、軟質ゴムローラ２がこの金属歯１ａ付きローラ１の回転に従って回転する。そこで、藁または牧草を投入案内板１７に投入すると、金属歯１ａ付きローラ１の金属歯１ａが軟質ゴムローラ２に食い込むのと同時にこれら両ローラ１、２間に挟まれ、腰が折られて柔らかくされ、藁または牧草は飛散することなく排出案内板１８に排出される。
【００２０】
【発明の効果】
この発明の藁または牧草の揉み機は、以上に述べたように構成されており、金属歯付きローラと軟質ゴムローラ間に送られた藁または牧草はすべて揉まれるので、作業効率が良く短時間で柔らかくすることができ、しかも藁または牧草が飛散することがないので、歩留りが非常に良いものとなる。
【図面の簡単な説明】
【図１】  この発明の藁または牧草の揉み機の一実施例を示す側面図である。
【図２】  図１に示すこの発明の藁または牧草の揉み機の正面図である。
【図３】  この発明の藁または牧草の揉み機において、金属歯付きローラ、軟質ゴムローラの間に挟まれて藁または牧草が柔らかくされる状態を示す説明図である。
【符号の説明】
１  ローラ
１ａ  金属歯
２  軟質ゴムローラ
９  押圧力調整機構
１７  投入案内板
１８  排出案内板
【図１】
0003694841.tif 000002
【図２】
0003694841.tif 000003
【図３】
0003694841.tif 000004